【事件の表示】
　平成　４年特許願第２４０１８２号「カラー画像の色圧縮方式」拒絶査定に対する審判事件［平成　６年　３月２９日出願公開、特開平　６−　９０３５１］について、次のとおり審決する。
【結　論】
　本件審判の請求は、成り立たない。
【理　由】
１．手続の経緯
　
  本願は、平成４年９月９日の出願であって、平成１３年９月２６日及び平成１４年２月６日に手続補正がされ、平成１４年２月２５日付けで拒絶査定がされ、これに対して、平成１４年４月４日に審判請求とともに手続補正がされたものである。
　
　
２．本願発明
　
　本願発明は、明細書及び図面の記載からみて、上記平成１４年４月４日付け手続補正書で手続補正された特許請求の範囲に記載されたとおりのものであって、その請求項１に記載された発明は次のとおりのもの（以下、「本願発明」という。）である。
「【請求項１】
　カラー画像の色圧縮方式において、
　原稿を読み取って色濃度データを発生するデータ入力部と、
　データ入力部からの色濃度データを受け取ってマンセル座標系（Ｖ、Ｃ、Ｈ）の画像データに変換する第１色変換部と、
　前記第１色変換部で変換された画像データの中の明度（Ｖ）を表す出力に対して出力装置が備える入力明度に対応する非線型の特性の圧縮出力のデータをテーブルとして格納した明度特性格納部を用いて明度について圧縮を行う明度圧縮部及び前記第１色変換部からの彩度（Ｃ）を表すデータと、前記明度圧縮部からの出力（Ｖ’）とを入力として出力装置が備える入力彩度に対応する非線型の特性の圧縮出力のデータをテーブルとして格納した彩度特性格納部を用いて彩度について圧縮を行い非線形の彩度の出力（Ｃ’）と前記明度の圧縮出力（Ｖ’）とを出力する彩度圧縮部とからなる色圧縮部と、
　前記彩度圧縮部からの彩度の出力（Ｃ’）と明度の出力（Ｖ’）及び前記第１色変換部からの色相（Ｈ）の各出力を入力として出力装置の色座標系に変換する第２色変換部と、
を備えることを特徴とするカラー画像の色圧縮方式。」
　
　
３．引用例
　
　これに対して、原審で引用された特開昭６１−２８８６６２号公報（昭和６１年１２月１８日出願公開。以下、「刊行物」という。）には、「カラー画像信号処理方法」に関する発明において、以下の記載がある。
　
（ア）「（２）前記圧縮写像を行う場合、先に明度を圧縮し、次いで彩度を圧縮することを特徴とする特許請求の範囲第１項記載のカラー画像信号処理方法。」（第１頁下左欄１２行〜１５行）
　
（イ）「本発明はカラー画像信号を処理するカラー画像信号処理方法に関し、特に、テレビジョン画像信号等の明度、彩度の再現範囲が広い入力系のカラー画像信号をカラープリンタなどの上記再現範囲の狭い出力系のカラー画像信号に変換するカラー画像信号処理方法に関する。」（第１頁下左欄１８行〜下右欄３行）
　
（ウ）「本発明をカラーテレビジョン信号をインクジェットプリンタでプリントするインクジェットビデオプリンタに適用した場合の信号処理でブロック図を第１図に示す。
　図において５Ｒ，５Ｇ，５Ｂは夫々Ｒ，Ｇ，Ｂのカラーテレビジョン信号の入力端子、１０は圧縮写像を行う圧縮ＲＯＭ（Ｒｅａｄ　Ｏｎｌｙ　Ｍｅｍｏｒｙ）でその機能はＲＧＢ→Ｌｕｖ＊変換部１１、階調（明度）圧縮部１３、彩度圧縮部１５、Ｌｕｖ＊’→Ｒ’Ｇ’Ｂ’変換部１７に分けられる。２０は加色法３原色の信号Ｒ’，Ｇ’，Ｂ’を夫々印刷用の減色法３原色のシアンＣ，マゼンダＭ，イエロＹの各信号に対数変換する対数変換ＲＯＭ、」（第２頁上左欄８行〜２０行）
　
（エ）「テレビジョンの画素ごとのＲＧＢ信号は、次式に従いＲＧＢ→Ｌｕｖ＊変換部１１でＬｕｖ＊に変換される。」（第２頁上右欄７行〜９行）
　
（オ）「このＬ＊，ｕ＊，ｖ＊を、予め定められた一定の写像関数ｆＬ，ｆｕ，ｆｖに従い階調圧縮部１３，彩度圧縮部１５でＬ＊’，ｕ＊’，ｖ＊’へ変換し、明度及び彩度の圧縮を行う。」（第２頁下左欄１行から４行）
　
（カ）「次に、Ｌｕｖ＊’→ＲＧＢ変換部１７でＬ＊’，ｕ＊’，ｖ＊’から前出の（１）式を逆に解くことによってＲ’，Ｇ’，Ｂ’が計算され、Ｒ’Ｇ’Ｂ’が求められる。
　以上ふりかえってみると予め決められた関数ｆＬ，ｆｕ，ｆｖを用いて入力のＲＧＢから出力のＲ’Ｇ’Ｂ’が一意に決定できることがわかる。従って、以上の部分は入力のＲＧＢをアドレス入力するテーブル変換用メモリ（ＲＯＭ）１０で構成することが可能である。
　このＲ’Ｇ’Ｂ’は、すでにインクジェット再現範囲の中に圧縮された信号であるから、これを対数変換ＲＯＭ２０濃度信号Ｃ，Ｍ，Ｙへ変換し、更にマスキング部３０で、これに対応したヘッド駆動電圧のデジタル値Ｖｃ，Ｖｍ，Ｖｙへ変換される。
　尚、対数変換及びマスキングは入力をアドレスとするテーブル変換ＲＯＭで構成される。」（第２頁下左欄９行〜下右欄６行）
　
（キ）「次に圧縮を実現する写像ｆＬ，ｆｕ，ｆｖの決定の仕方について説明する。
　まず、明度について圧縮する。第２図のように、ある色相について入力系の明度の最大値，最小値をＬ４，Ｌ１とし、出力系のそれらをＬ３，Ｌ２とすると、入力のＬ＊，ｕ＊，ｖ＊は夫々下式に従ってＬ＊，ｕ＊，ｖ＊に変換される。
と変換する。つまり明度についてのみ、入出力系の再現明度の比に応じて圧縮を行っている。これを全ての色相（θ＝ｔａｎ−１ｖ＊／ｕ＊）について行うと第３図に示すように入力系の再現範囲ＲＴＶが範囲Ｒ’に矢印で示す如く彩度Ｃ＊を保存したまま圧縮される。
　次に彩度方向へ圧縮する。
　まず、有る色相θを考える。（θ＝ｔａｎ−１ｖ＊／ｕ＊）
　この時、ある明るさＬ＊Ａに対応する領域の彩度方向の長さをｌ１，ｌ２とする。このときＬ＊”，ｕ＊”、ｖ＊”は、次のようにＬ＊’，ｕ＊’，ｖ＊’変換される。
　この様に入出力系の再現彩度の比に応じて彩度の圧縮を行っている。」（第２頁下右欄１１行〜第３頁上左欄１７行）
　
（ク）「尚、入力系のカラー画像信号としてはテレビジョン信号に限らず、色彩再現範囲が出力系に対して広いものであれば、固体撮像素子からの出力信号等を用いることができる。」（第３頁下右欄１行〜４行）
　
　上記（ア）〜（ク）の記載によると、刊行物には、
「明度、彩度の再現範囲が広い入力系のカラー画像信号を再現範囲の狭い出力系のカラー画像信号に変換するカラー画像信号処理方法に関し、
　固体撮像素子と、
　その機能が、ＲＧＢ信号をＬｕｖ＊に変換するＲＧＢ→Ｌｕｖ＊変換部１１、明度についてのみを入出力系の再現明度の比に応じて圧縮を行う階調圧縮部１３、階調圧縮部１３による明度を圧縮した後、入出力系の再現彩度の比に応じて彩度の圧縮を行う彩度圧縮部１５、Ｌ＊’，ｕ＊’，ｖ＊’からＲ’，Ｇ’，Ｂ’を計算するＬｕｖ＊’→Ｒ’Ｇ’Ｂ’変換部１７に分けられ、ＲＧＢを入力しＲ’Ｇ’Ｂ’を出力するテーブル変換用メモリ（ＲＯＭ）１０と、
　これを濃度信号Ｃ，Ｍ，Ｙへ変換する対数変換ＲＯＭ２０と、
を備えるカラー画像信号処理方法。」の発明（以下、「刊行物記載の発明」という。）が記載されている。
　
　
４．対比・判断
　
　刊行物記載の発明は「カラー画像信号処理方法」なる方法として発明が表現されているが、これを物として発明を表現し得ることは自明であって、単なる表現上の問題にすぎない。
　
　本願発明と刊行物記載の発明とを対比すると、
　
（あ）刊行物記載の発明は、明度、彩度の再現範囲が広い入力系のカラー画像信号を再現範囲の狭い出力系のカラー画像信号に変換するカラー画像信号処理方法に関するものであるから、「カラー画像の色圧縮方式」である点で、本願発明と相違しない。
　
（い）刊行物記載の発明は、固体撮像素子を備え、該撮像素子からＲＧＢ信号を入力しているから、「原稿を読み取って」を除き、「色濃度データを発生するデータ入力部」を備える点で、本願発明と相違しない。
　
（う）刊行物記載の発明は、テーブル変換用メモリ（ＲＯＭ）１０の機能部として、ＲＧＢ信号をＬｕｖ＊に変換するＲＧＢ→Ｌｕｖ＊変換部１１を備えており、Ｌｕｖ＊の画像データはマンセル座標系の画像データと同様に明度と彩度で表現する色座標系の画像データであるから、明度と彩度で表現する色座標系が「マンセル座標系（Ｖ，Ｃ，Ｈ）」である点を除き、「データ入力部からの色濃度データを受け取って明度と彩度で表現する色座標系の画像データに変換する第１色変換部」を備えている点で、本願発明と相違しない。
　
（え）刊行物記載の発明は、テーブル変換用メモリ（ＲＯＭ）１０の機能部として、明度についてのみを入出力系の再現明度の比に応じて圧縮を行う階調圧縮部１３、階調圧縮部１３による明度を圧縮した後、入出力系の再現彩度の比に応じて彩度の圧縮を行う彩度圧縮部１５を備えているから、「前記第１色変換部で変換された画像データの中の明度（Ｖ）を表す出力に対して出力装置が備える入力明度に対応する非線型の特性の圧縮出力のデータをテーブルとして格納した明度特性格納部を用いて」、「前記第１色変換部からの彩度（Ｃ）を表すデータと、前記明度圧縮部からの出力（Ｖ’）とを入力として出力装置が備える入力彩度に対応する非線型の特性の圧縮出力のデータをテーブルとして格納した彩度特性格納部を用いて」及び「非線形の彩度の出力（Ｃ’）」の点を除き、「明度について圧縮を行う明度圧縮部及び彩度について圧縮を行う彩度圧縮部とからなる色圧縮部」を備えている点で、本願発明と相違しない。
　
（お）刊行物記載の発明は、テーブル変換用メモリ（ＲＯＭ）１０の機能部として、Ｌ＊’，ｕ＊’，ｖ＊’からＲ’，Ｇ’，Ｂ’を計算するＬｕｖ＊’→ＲＧＢ変換部１７を備えるとともに、これを濃度信号Ｃ，Ｍ，Ｙへ変換する対数変換ＲＯＭ２０を備えており、Ｃ，Ｍ，Ｙは出力装置であるインクジェットで用いられる印刷用の減色法３原色であるから、「前記彩度圧縮部からの彩度の出力（Ｃ’）と明度の出力（Ｖ’）及び前記第１色変換部からの色相（Ｈ）の各出力を入力として」を除き、「出力装置の色座標系に変換する第２色変換部」を備えている点で、本願発明と相違しない。
　
　したがって、本願発明と刊行物記載の発明とは、
「カラー画像の色圧縮方式において、
　色濃度データを発生するデータ入力部と、
　データ入力部からの色濃度データを受け取って明度と彩度で表現する色座標系の画像データに変換する第１色変換部と、
　明度について圧縮を行う明度圧縮部及び彩度について圧縮を行う彩度圧縮部とからなる色圧縮部と、
　出力装置の色座標系に変換する第２色変換部と、
を備えることを特徴とするカラー画像の色圧縮方式。」である点で一致し、次の点で相違する。
　
（相違点１）
　本願発明は、固体撮像素子が読み取る対象が原稿であるのに対して、刊行物記載の発明は対象が特定されていない点。
　
（相違点２）
　本願発明は、明度と彩度で表現する色座標系の画像データであるマンセル座標系（Ｖ、Ｃ、Ｈ）の画像データに変換する第１色変換部を備えているのに対して、刊行物記載の発明は、明度と彩度で表現する色座標系の画像データであるＬｕｖ＊の画像データに変換するＲＧＢ→Ｌｕｖ＊変換部１１を、テーブル変換用メモリ（ＲＯＭ）１０の機能部として備えている点。
　
（相違点３）
　本願発明は、第１色変換部で変換された画像データの中の明度（Ｖ）を表す出力に対して出力装置が備える入力明度に対応する圧縮出力のデータをテーブルとして格納した明度特性格納部を用いて明度について圧縮を行う明度圧縮部及び第１色変換部からの彩度（Ｃ）を表すデータと、明度圧縮部からの出力（Ｖ’）とを入力として出力装置が備える入力彩度に対応する圧縮出力のデータをテーブルとして格納した彩度特性格納部を用いて彩度について圧縮を行い彩度の出力（Ｃ’）と明度の圧縮出力（Ｖ’）とを出力する彩度圧縮部とからなる色圧縮部を備えているのに対して、刊行物記載の発明は、階調圧縮部１３及び彩度圧縮部１５をテーブル変換用メモリ（ＲＯＭ）１０の機能部として備えるとともに、階調圧縮部１３及び彩度圧縮部１５がテーブル変換用メモリ（ＲＯＭ）１０の機能部であるために、階調圧縮部１３及び彩度圧縮部１５に入力や出力がなく、入力に対して出力のデータをテーブルとして格納した格納部を用いていない点。
　
（相違点４）
　本願発明は、彩度圧縮部からの彩度の出力（Ｃ’）と明度の出力（Ｖ’）及び第１色変換部からの色相（Ｈ）の各出力を入力とする第２の色変換部を備えているのに対して、刊行物記載の発明は、テーブル変換用メモリ（ＲＯＭ）１０の機能部であるＬｕｖ＊’→Ｒ’Ｇ’Ｂ’変換部１７と対数変換ＲＯＭ２０を備え、Ｌｕｖ＊’→Ｒ’Ｇ’Ｂ’変換部１７がテーブル変換用メモリ（ＲＯＭ）１０の機能部であるために、Ｌｕｖ＊’→Ｒ’Ｇ’Ｂ’変換部１７に入力がない点。
　
（相違点５）
　本願発明は、明度圧縮部及び彩度圧縮部の入力に対する出力の特性が非線型の特性であるの対して、刊行物記載の発明は、線型の特性である点。
　
　そこで、上記相違点について、以下で検討する。
　
　相違点１については、固体撮像素子により原稿を読み取ることは当業者にとって常套的なされる事項である。
　このため、刊行物記載の発明の固体撮像素子が読み取る対象を原稿とすることは、当業者が格別の創意を要することなくなし得る事項である。
　
　相違点２については、画像データを明度と彩度で表現する色座標系として、マンセル座標系はＬｕｖ＊系と同様に周知な座標系であるとともに、マンセル座標系は、システムバリュ−が明度（Ｖ），彩度（Ｃ），色相（Ｈ）の３値であり、明度や彩度の調整は明度（Ｖ）や彩度（Ｃ）の調整で達成できることは当業者であれば明らかな事項である。
　また、機能部を独立した構成とするができることは当業者であれば明らかな事項である。
　このため、刊行物記載の発明において、ＲＧＢ→Ｌｕｖ＊変換部１１をテーブル変換用メモリ（ＲＯＭ）１０の機能部ではない構成とするとともに、色濃度データを変換した明度と彩度で表現する色座標系の画像データをマンセル座標系（Ｖ，Ｃ，Ｈ）の画像データとすることは、当業者であれば格別の容易を要することなくなし得る事項である。
　
　相違点３については、機能部を独立した構成とするができること、及び、色圧縮を行う独立した構成に入力や出力があることは当業者であれば明らかである。
　そして、刊行物記載の発明において、相違点２で検討した如く、ＲＧＢ→Ｌｕｖ＊変換部１１が色濃度データを変換した明度と彩度で表現する色座標系をマンセル座標系（Ｖ，Ｃ，Ｈ）とするとともに、階調圧縮部１３及び彩度圧縮部１５がテーブル変換用メモリ（ＲＯＭ）１０の機能部ではない独立した構成とするならば、同一の色相（Ｈ）であっても、明度（Ｖ）に応じて彩度（Ｃ）の理論限界や再現限界が異なるため、色再現範囲内で彩度（Ｃ）を調整する際は明度（Ｖ）を考慮する必要があることは当業者であれば明らかな事項である。
　このため、刊行物記載の発明において、階調圧縮部１３及び彩度圧縮部１５とからなる色圧縮部を備え、階調圧縮部１３が、ＲＧＢ→Ｌｕｖ＊変換部１１で変換された画像データの中の明度（Ｖ）を表す出力に対して出力装置が備える入力明度に対応する圧縮出力のデータをテーブルとして格納した明度特性格納部を用いて明度について圧縮を行い、彩度圧縮部１５が、ＲＧＢ→Ｌｕｖ＊変換部１１からの彩度（Ｃ）を表すデータと、階調圧縮部１３からの出力（Ｖ’）とを入力として出力装置が備える入力彩度に対応する圧縮出力のデータをテーブルとして格納した彩度特性格納部を用いて彩度について圧縮を行い彩度の出力（Ｃ’）と前記明度の圧縮出力（Ｖ’）とを出力する構成とすることは、当業者であれば格別の容易を要することなくなし得る事項である。
　
　相違点４については、複数の機能部を独立した構成とし、独立した複数の構成を１つの構成にまとめることができること、及び、データを変換する独立した構成に入力があることは当業者であれば明らかである。
　そして、相違点２で検討した如く、ＲＧＢ→Ｌｕｖ＊変換部１１が色濃度データを変換した明度と彩度で表現する色座標系をマンセル座標系（Ｖ，Ｃ，Ｈ）とするとともに、Ｌｕｖ＊’→Ｒ’Ｇ’Ｂ’変換部１７がテーブル変換用メモリ（ＲＯＭ）１０の機能部ではない、対数変換ＲＯＭ２０と合わさった構成とするならば、刊行物記載の発明で行われる圧縮は明度と彩度であって色相は圧縮されず、圧縮された明度及び彩度は階調圧縮部１３及び彩度圧縮部１５から出力され、圧縮されない色相はＲＧＢ→Ｌｕｖ＊変換部１１から出力されることは明らかである。
　このため、刊行物記載の発明において、Ｌｕｖ＊’→Ｒ’Ｇ’Ｂ’変換部１７及び対数変換ＲＯＭ２０と合わせ、彩度圧縮部１５からの彩度の出力（Ｃ’）と明度の出力（Ｖ’）及びＲＧＢ→Ｌｕｖ＊変換部１１からの色相（Ｈ）の各出力を入力する構成とすることは、当業者であれば格別の容易を要することなくなし得る事項である。
　
　相違点５については、色変換・色圧縮する際の入力に対する出力の特性を、入力装置や出力装置の特性の非線型性を補正するために、非線型な特性とすることは、当業者にとって常套的になされる事項である。
　このため、刊行物記載の発明の階調圧縮部１３及び彩度圧縮部１５における、入力に対して出力の特性を非線型な特性とすることは、当業者が格別の創意を要することなくなし得る事項である。
　
　そして、本願発明の構成によりもたらされる効果も、刊行物記載の発明及び周知・常套な事項から当業者が容易に予想し得る程度のものであり、格別のものではない。
　
　
５．むすび
　
　したがって、本願発明は、刊行物記載の発明及び周知・常套な事項に基づいて、当業者が容易に発明をすることができたものであり、特許法第２９条第２項の規定により特許を受けることができない。
　
　よって、結論のとおり審決する。